(57)【特許請求の範囲】
【請求項１】
ラップフィルムが巻かれたロール体を収納して上面が開口した横長の略箱状の容器本体と、該容器本体に合致して上面を覆うように前記容器本体の後面壁の頂縁から回動可能に連結されている天面が平坦な浅箱型の蓋体と、該蓋体の前面壁に沿って切断刃を備えた切断部と、該切断部に対応して前記容器本体の前面壁の頂縁に沿って設けられた受け部とを一対にして、蓋体を閉じることで引き出されたラップフィルムを押切り切断する手段を形成したラップフィルム収納容器において、前記蓋体を前記容器本体の後面壁の頂縁から回動可能に連結され前記開口の後半部分を開閉する閉止蓋と、前記切断部を備える前記開口の前半部分を開閉する開口蓋とを、付勢手段を備えるヒンジ部材により回動可能に連結して谷形形状に付勢され中折れする連結蓋体となし、前記容器本体と前記閉止蓋における長さ方向の両端部には前記閉止蓋を閉止状態に保持する係止機構を備え、前記閉止蓋の閉止状態において、前記開口の前半部分を開口して直立状態で開位置にある前記開口蓋が付勢力に抗し閉蓋されて閉位置での前記開口蓋の係止と、該係止の解除との切り替え可能な保持手段を備えていることを特徴とするラップフィルム収納容器。
【請求項２】
前記保持手段は、前記容器本体を覆う前記開口蓋の周囲壁内側と前記容器本体の周囲壁外側とが重合可能に、前記開口蓋を前記容器本体より一回り大きく形成され、該開口蓋と前記容器本体とが係合した閉位置より、該開口蓋の更なる押下によって前記係合を解除可能にするプッシュロック・オープン機構を備えていることを特徴とする請求項１に記載のラップフィルム収納容器。
【請求項３】
ラップフィルムが巻かれたロール体を収納して上面が開口した横長の略箱状の容器本体と、該容器本体に合致して上面を覆うように前記容器本体の後面壁の頂縁から回動可能に連結されている天面が平坦な浅箱型の蓋体と、該蓋体の前面壁に沿って切断刃を備えた切断部と、該切断部に対応して前記容器本体の前面壁の頂縁に沿って設けられた受け部とを一対にして、蓋体を閉じることで引き出されたラップフィルムを押切り切断する手段を形成したラップフィルム収納容器において、前記蓋体の裏面に弾性変形する弾圧部材を突設し、前記蓋体を閉位置にすることで、前記弾圧部材により収納された前記ロール体を弾圧固定且つ、前記受け部に突設された一対の突壁の一つである後方突壁の長手方向に沿って後方に形成された平坦部に、引き出されたラップフィルムを緊張状態に弾圧押下することを特徴とするラップフィルム収納容器。
【請求項４】
前記平坦部に、前記弾圧部材により弾圧された引き出されたラップフィルムを剥離可能に保持することのできる粘着層が配設されていることを特徴とする請求項３に記載のラップフィルム収納容器。
【発明の詳細な説明】
【技術分野】
【０００１】
本発明は、ロール状に巻かれたラップフィルム詰め替え用の収納容器に関するものである。
【背景技術】
【０００２】
従来からさまざまなラップフィルム収納容器が知られているが、その多くは厚紙製であり、ロール状に巻かれたラップフィルムを収納する容器本体と、この容器本体に一体的に設けられた蓋体とから構成されている。多くは、容器から引き出されたラップフィルムを切断するためのカッターが蓋体の前面壁の裏面に取り付けられおり、切断後に残ったラップフィルムの先端部は蓋体の前面壁と容器本体の前面壁との間に配置されている。
【０００３】
この種の容器を使用する場合、初めに収納容器を持ち上げ、次に持ち手の親指の腹部分で蓋体の前面壁表面の上部稜辺近傍を押し上げながら蓋体を開きラップフィルムの先端部を露出させる。そして、一方の手でフィルム先端部を指で摘んで引き出した後、蓋体を押し上げた状態の親指を移動して、親指の腹部分で蓋体の前面壁表面を押圧しながら蓋体を閉じ、最後に、引き出されたラップフィルムを押圧しながら収納容器をロール体の軸周りに回転してカッターにより引き出したラップフィルムを切断している。
【０００４】
この収納容器おいての一連の操作中、容器に残っているラップフィルムの先端部が容器本体内への巻き戻りすることによって、引き出されたラップフィルムの先端部がラップフィルム自身と絡んで密着して、フィルム先端部を摘み容器本体から引き出すことが極めて困難となることがある。
【０００５】
また、ラップフィルムの先端部を引き出す時に蓋体の開き過ぎによるロール体の飛び出しや、開口度合いの狭すぎによりラップフィルムが切断刃の先端に引っかかることがある。この蓋体の開口度合いを適度にするするために、変形し易い厚紙製である蓋体への微妙な押圧と蓋体の開口度合いの加減を調整するには、持ち手の親指による微妙な操作が必要であり、この微妙な操作に多くの人々がストレスを感じながら使用しており、何度か切断に失敗した経験があると思われる。
【０００６】
近年、厚紙製であるラップフィルム収納容器においては、ロール体の不用意な飛び出し防止、不要な踊りの防止、フィルム端部の巻戻り防止、切断性能や操作性の向上等の改良手段として、数多くの提案されている。しかしながら、厚紙製による材質特性上の弱点である歪みの発生や形状が限定されたものになってしまい、操作の安定性や十分な切断性能が得られないという問題があり、これらの多くの問題の解決手段としてラップフィルム収納容器の基本材料を合成樹脂製としたものが知られており、蓋体を押し込みながら閉止してラップフィルムを押しきり方式にて切断する収納容器として、特許文献１が開示されている。
【先行技術文献】
【特許文献】
【０００７】
【特許文献１】特開２００５−８８９９１号公報
【発明の概要】
【発明が解決しようとする課題】
【０００８】
解決しようとする問題点は、前記の特許文献１に例示されるごとく、合成樹脂製によるラップフィルム収納容器では、操作性の向上や、引き出したフィルム端部が巻戻らないようにする工夫や、収納容器から不用意に飛び出さないようにする工夫などがなされている。しかしながら、収納容器の持ち手の親指による蓋体の開蓋操作については、従前の厚紙製における操作方法に変わりがなく、蓋体の縦幅が従前の厚紙製より刃部収納部の分だけ広くなっており、掌の小さい婦女子にとっては持ち手の親指による微妙な操作が難しい。さらには、合成樹脂製であることで蓋体が重くなっており、また、蓋を閉止保持するために軽く固定するロック機構が設けられることで、ロックを解除して開蓋する親指の力がさらに必要となり、操作の安定性や簡便性に満足できないものとなっている。
【０００９】
本発明は上記事情に鑑みてなされたものであり、持ち手の親指による微妙な操作を不要にし、閉止されている蓋の表面を親指で押下して開蓋する操作と、開位置にある蓋の表面を親指により押し倒して引き出されたラップフィルムを切断しながら蓋を閉止する操作を繰り返すだけで、蓋の開閉操作とラップフィルムの切断操作を可能にし、操作性の改善と安定性の向上を図り比較的廉価なラップフィルム詰め替え用の収納容器を提供することにある。
【課題を解決するための手段】
【００１０】
上記目的を達成するために、請求項１のラップフィルム収納容器は、ラップフィルムが巻かれたロール体を収納して上面が開口した横長の略箱状の容器本体と、該容器本体に合致して上面を覆うように前記容器本体の後面壁の頂縁から回動可能に連結されている天面が平坦な浅箱型の蓋体と、該蓋体の前面壁に沿って切断刃を備えた切断部と、該切断部に対応して前記容器本体の前面壁の頂縁に沿って設けられた受け部とを一対にして、蓋体を閉じることで引き出されたラップフィルムを押切り切断する手段を形成したラップフィルム収納容器において、前記蓋体を前記容器本体の後面壁の頂縁から回動可能に連結され前記開口の後半部分を開閉する閉止蓋と、前記切断部を備える前記開口の前半部分を開閉する開口蓋とを、付勢手段を備えるヒンジ部材により回動可能に連結して谷形形状に付勢され中折れする連結蓋体となし、前記容器本体と前記閉止蓋における長さ方向の両端部には前記閉止蓋を閉止状態に保持する係止機構を備え、前記閉止蓋の閉止状態において、前記開口の前半部分を開口して直立状態で開位置にある前記開口蓋が付勢力に抗し閉蓋されて閉位置での前記開口蓋の係止と、該係止の解除との切り替え可能な保持手段を備えていることを特徴とする。
【００１１】
請求項２のラップフィルム収納容器は、請求項１の発明において、前記保持手段は、前記容器本体を覆う前記開口蓋の周囲壁内側と前記容器本体の周囲壁外側とが重合可能に、前記開口蓋を前記容器本体より一回り大きく形成され、該開口蓋と前記容器本体とが係合した閉位置より、該開口蓋の更なる押下によって前記係合を解除可能にするプッシュロック・オープン機構を備えていることを特徴としている。
【００１２】
請求項３のラップフィルム収納容器は、ラップフィルムが巻かれたロール体を収納して上面が開口した横長の略箱状の容器本体と、該容器本体に合致して上面を覆うように前記容器本体の後面壁の頂縁から回動可能に連結されている天面が平坦な浅箱型の蓋体と、該蓋体の前面壁に沿って切断刃を備えた切断部と、該切断部に対応して前記容器本体の前面壁の頂縁に沿って設けられた受け部とを一対にして、蓋体を閉じることで引き出されたラップフィルムを押切り切断する手段を形成したラップフィルム収納容器において、前記蓋体の裏面に弾性変形する弾圧部材を突設し、前記蓋体を閉位置にすることで、前記弾圧部材により収納された前記ロール体を弾圧固定且つ、前記受け部に突設された一対の突壁の一つである後方突壁の長手方向に沿って後方に形成された平坦部に、引き出されたラップフィルムを緊張状態に弾圧押下することを特徴とするラップフィルム収納容器。
【００１３】
請求項４のラップフィルム収納容器は、請求項３の発明において、前記平坦部に、前記弾圧部材により弾圧された引き出されたラップフィルムを剥離可能に保持することのできる粘着層が配設されていることを特徴とする。
【発明の効果】
【００１４】
請求項１の発明によれば、開口面を覆う蓋体を中折れにして閉止蓋と開口蓋の連結蓋体に形成し、その一つである閉止蓋はロール体の交換をする時のみに開蓋される蓋であり、したがって、使用中は容器本体開口部の約半分が閉止蓋に覆われており、ロール体の飛び出しを防いでいる。また、開口蓋はつねにバネ圧で直立状態に付勢されており、開口蓋の閉位置での係止解除することで開口蓋が自立して直立状態での開位置となり、開蓋のための特別なテクニックを必要とせず、ラップフィルムの引き出し口が大きく開口しておりラップフィルムの引き出し時においての操作性が向上する。
【００１５】
請求項２の発明によれば、プッシュロック・オープン機構の配設により、直立状態に付勢されている開口蓋表面の先端部中央近傍を付勢力に抗して収納容器の持ち手親指によって、開口蓋を閉じ方向へ押し倒して容器本体との係止をすることで、開口蓋の閉止操作とラップフィルムの切断作業がほぼ同時に行われ、続けて使用する場合は、閉位置にある開口蓋を更に押下すると開口蓋の係止が解除されて開口蓋が開位置の直立状態となり、ラップフィルム引き出が可能となる。このようにして、前述の収納容器のような難しい親指による操作を必要とせずに、簡単に開口蓋の開閉操作とラップフィルムの切断が可能になり安定的な操作性が向上する。
【００１６】
請求項３の発明によれば、蓋体の裏面に弾性変形可能な弾圧部材を突設し、蓋体を閉じ方向に押し倒して閉位置にすることで、収納されたロール体を弾圧固定し、引き出されたラップフィルムを弾圧押下して緊張状態の中で切断した後に蓋体が閉止状態になる。これにより、フィルム切断性能の向上と、閉止状態にあるラップフィルム収納容器の運搬中におけるロール体の不要な転がりの防止によるフィルム切断始端部の巻戻り防止が図られる。
【００１７】
請求項４の発明によれば、引き出されたラップフィルムの切断始端部近傍が、蓋体の閉蓋により裏面に突設された弾圧部材により粘着層に圧着保持されることで、蓋体の開蓋後のラップフィルムフ先端部近傍が粘着層より剥がれることがなく摘み代が固定された状態となっており、ラップフィルム引き出し時におけるロール体の不要な転がりによりラップフィルム先端部のからみが解消されると同時に、ラップフィルムの切断始端部が摘まみ易くなる。
【図面の簡単な説明】
【００１８】
【図１】本発明に係る  ラップフィルム収納容器の連結蓋体を全開にした状態を示す斜視図。
【図２】同上のラップフィルム収納容器の常態を示す断面図（図１のＡ−Ａ線に沿って表される矢視断面図）である。
【図３】（イ）〜（二）は同じく本発明における  ラップフィルム収納容器の使用時の各状態を示す左側面図。
【発明を実施するための形態】
【００１９】
本発明の実施形態を図１から図３に基づいて説明する。本実施形態の収納容器１は、全体として硬質で軽くて強靭な合成樹脂製からなり、容器本体４と連結蓋体７の一端部が容器本体４の後面壁１２の頂縁から回動可能に容器ヒンジ２２を介して連結されており、連結蓋体７が容器本体４上面の開口を覆い、連結蓋体７を構成する開口蓋９と閉止蓋８は連結ヒンジ２５を介して回動可能に連結されているとともに、夫々の蓋は容器本体４と係止可能に構成されている。
【００２０】
図１と図２に示すように、容器本体４は、ラップフィルム３を収納し引き出し得るように上面が開口した横長の略箱状の収納部５と、容器本体４の前面壁１０の頂縁に沿って前方へ突設された受け部６と、その両端にラッチ本体２１a,  ２１ｂを埋設する膨出部１３a,１３ｂを設けて一体に形成されている。まず、容器本体４の長さは収納されるロール体２の長さよりラッチ本体２１a,２１ｂの厚み分だけ長く形成されており、これによるロール体２の片寄りを防ぐための隔壁１９a,１９ｂがロール体２の長手方向への移動により隔壁１９a,１９ｂを超えない高さで容器本体４の底面より一体的に立設されており、これにより生じる側壁１１a,１１ｂとの間隙はロール体２を取り出す時の指先を差し込むスペースの役割を果たしている。また、容器本体４の側壁１１a,１１ｂの頂縁の略中央部分には、閉止蓋８を閉止した状態に固定するための係止溝２０ａ,２０ｂが設けられている。
【００２１】
受け部６は、容器本体４の前面壁１０の頂縁に沿って容器本体４の開口面と面一な平坦部１７の先端に沿ってラップフィルム３の横幅を超える長さの一対の突壁１４ａ,１４ｂが対向して立設され、引き出されたラップフィルムを架橋状態に載置して切断刃２９が進入可能な切断溝１５を形成している。また、後方の突壁１４ｂに沿った平坦部１７に、引き出されたラップフィルム３先端近傍を剥離可能に保持することのできる幅の粘着層１８が形成されている。さらには、この切断溝１５の両端に隣接した膨出部１３ａ,１３ｂの平坦部１７下に、ラッチ突起３４ａ,３４ｂと係合可能にプッシュラッチ装置のラッチ本体２１a,２１ｂが埋設されている。尚、本発明においては、突壁１４ａ,１４ｂの両端に隣接してラッチ本体２１a,  ２１ｂが埋設されているが、使用するラップフィルム３の幅によっては、両端の何れか一つの埋設でもよい。また、一対の突壁１４a,１４ｂの中央領域には指を挿入して、より多くの摘み代を摘まめるように切り欠き部１６が形成されている。
【００２２】
本発明に採用しているプッシュロック・オープン機構は、ラッチ本体２１a,２１ｂとラッチ突起３４ａ,３４ｂを配設して、公知技術の一つであるプッシュラッチ装置（図示しない）を構成しているが、勿論、保持手段はこれ以外のプッシュロック・オープン機構であっても差し支えない。
【００２３】
つぎに、連結蓋体７とこれを構成する閉止蓋８と開口蓋９について説明する。閉止蓋８の一端は後面壁１２の頂縁と容器ヒンジ２２を介して回動可能に連結されおり、他端は開口蓋９の一端とコイルバネ２６が装着された連結ヒンジ２５を介して回動可能に連結され、この二つの蓋は互いに谷形形状を形成するべくコイルバネ２６により付勢されている。また、閉止蓋８の側壁２３ａ,２３ｂの連結ヒンジ２５端部近傍には容器本体４の両側壁１１a,１１ｂにある係止溝２０a,２０ｂと係合する係止片２４a,２４ｂが突設されている。また、連結ヒンジ２５に連結されている開口蓋９の連結端のもう一方にあたる自由端には、切断刃２９と防護壁３３で切断部３０を形成しており、切断刃２９および防護壁３３の両端部と開口蓋９の側壁２８ａ,２８ｂとにある間隙には、ラッチ本体２１a,２１ｂと係合するラッチ突起３４ａ,３４ｂが立設されている。
【００２４】
また、図１・図２および図３（ハ）・（二）に示すように閉位置にある開口蓋９は、更なる押下により係合解除を可能にするために、開口蓋９の周囲の壁内側は容器本体４の周囲の壁外側より一回り大きく形成して、開口蓋９の更なる押下時に開口蓋９と容器本体４が重合可能であり、切断部３０と受け部６が咬合する部分には開口蓋９の押下操作に必要な押し代Ｈを形成している。また、収納容器１の衛生面からの密閉性保持の観点から開口蓋９の閉位置においても、側壁１１a,１１ｂ上縁部との僅かな重合及び突壁１４ａを覆うように、開口蓋９の前壁２７及び側壁２８a,２８ｂの高さを設定して形成されている。
【００２５】
ここで、図３に示すラップフィルム３の収納から切断までの過程に伴う容器本体４と連結蓋体７との関連について説明する。図３（イ）は、ロール体２を収納する時に連結蓋体７を全開した状態を示し、図３（ロ）は、係止機構により閉止蓋８が容器本体４に係止され開口の前半部分が開放されている状態を示し、開口蓋は連結ヒンジを支点にして付勢手段であるコイルバネ２６により直立方向に付勢されて開位置にある。尚、開口蓋の開口度が９０度前後に設定するストッパー（図示しない）が設けられている。図３（ハ）はラップフィルム３の切断時の開口蓋９の押下の状態と、ラップフィルム３を引き出す時に開口蓋９の更なる押下により係合解除する状態を示している。図３（二）は収納容器の常態を示しており、開口蓋９がプッシュラッチ装置の保持手段により連結蓋体７の上面が面一な状態で閉位置に係合されている。
【００２６】
つぎに、図２に示す開口蓋９の裏面には、開口蓋９の前壁２７の長さ方向に沿って後方に向かって、切断溝１５に対応する所定の間隔で切断刃２９、防護壁３３と弾圧部材３１の順で配設されている。また、それぞれの先端が突出する高さ位置は、最も低い切断刃２９、防護壁３３、前壁２７、弾圧部材３１の順に高くなるように形成されている。したがって、最も低い切断刃２９の刃先は防護壁３３と前壁２７に挟まれて陥没しており、操作中の手指等が誤って切断刃２９に触れて傷付くことを防止しており、さらに防護壁３３は後述する弾圧部材３１の変形による切断刃２９への進入を阻止する役割を担っている。
【００２７】
また、弾圧部材３１は弾性変形可能なスポンジ製であり、開口蓋９の裏面に突設して固着されており、開口蓋９の回動時に容器本体４と接触しないような高さに形成されている。弾圧部材３１の作用について述べると、直立状態にある開口蓋９が閉じ方向に押し倒されると最初にスポンジ先端近傍の凹湾曲面３５が収納されたラップフィルム３の外周面よりロール体２を容器本体４の後下方向に押圧固定し、次にスポンジ中央領域の突部が引き出されたラップフィルム３を押し下げて切断されるラップフィルム３に張力を与えて緊張状態に固定し、最後にスポンジの段差部３２によりラップフィルム３の切断始端部近傍を粘着層１８に圧着する。かくして、弾圧部材３１は収納容器４の常態における運搬時のロール体の固定、ラップフィルム３を緊張状態にしての切断性能の向上、ラップフィルム３の切断始端部近傍の粘着層１８への圧着等の役割を果たしている。
【００２８】
次に、上記のように構成された本実施形態のラップフィルム詰め替え用の収納容器１の使用方法について図１・図３に基づいて説明する
【００２９】
はじめに、片手で常態（二）のラップフィルム３が入った収納容器１を持ち上げた親指で略面一状態にある連結蓋体７を構成している開口蓋９の中央先端領域を押し下げ（ハ）、その親指を離すことで開口蓋９と容器本体４との係止が解除されて開口蓋９がコイルバネ２６の付勢力で直立状態になり開口される（ロ）。つぎに、持ち手でない指により粘着層１８より先端に残されているラップフィルム３の切断始端部である摘み代を摘まみ必要な長さに引き出した後に、直立状態にある開口蓋９の中央先端領域を収納容器１の持ち手の親指で押し倒しながら閉じ方向へ押下げた（ハ）後に離すと、ラップフィルム３を切断した後に開口蓋９が閉位置で係止され元の状態（二）に戻り、一連の開口蓋９の開閉操作を繰り返すことでラップフィルム３の引き出しと切断を繰り返しおこなう事ができる。
【００３０】
また、ロール体２を詰め替える時は、使用時の始めの操作と同様に持ち上げた片手の親指で常態（二）にある開口蓋９を直立状態（ロ）にして、持ち手でない指で容器本体４に係止された閉止蓋８の連結ヒンジ２５中央部分を持ち上げて容器本体４との係止を解除し、閉止蓋８を１８０度回転し容器本体４の開口を全開して（イ）ロール体２を交換する。
【００３１】
以上、本発明の好適な実施形態について説明したが、本発明は上記実施形態に限定されないことは言うまでもない。
【００３２】
例えば、容器本体の上面を覆う連結蓋体を構成する開口蓋の形状を、開口蓋の開口面と容器本体の開口面とが当接合致して閉位置に位置する開口蓋となし（図示しない）、保持手段として容器本体に係止された閉止蓋と前記開口蓋との係合と、その係合を解除する係止機構としてもよい。
【符号の説明】
【００３３】
１  収納容器
２  ロール体
３  ラップフィルム
４  容器本体
５  収納部
６  受け部
７  連結蓋体
８  閉止蓋
９  開口蓋
１０  前面壁
１１a,  １1ｂ  側壁（容器本体）
１２  後面壁
１３a,  １３ｂ  膨出部
１４a,  １４ｂ  突壁
１５  切断溝
１６  切り欠き部
１７  平坦部
１８  粘着層
１９a,  １９ｂ  隔壁
２０a,  ２０ｂ  係止溝
２１a,  ２１ｂ  ラッチ本体
２２  容器ヒンジ
２３ａ,  ２３ｂ  側壁（閉止蓋）
２４ａ,  ２4ｂ  係止片
２５  連結ヒンジ
２６  コイルバネ
２７  前壁（開口蓋）
２８ａ,  ２８ｂ  側壁（開口蓋）
２９  切断刃
３０  切断部
３１  弾圧部材
３２  段差部
３３  防護壁
３４ａ,  ３４ｂ  ラッチ突起
３５  凹湾曲面
Ｈ  押し代  
【図１】
0005635552.tif 000002
【図２】
0005635552.tif 000003
【図３】
0005635552.tif 000004